(57)【要約】【課題】本来は日除けとして使われているオーニングにキャンバス開閉器自動装置を取り付けることで、降雨による洗濯物が濡れるのを自動的に防ぎ、日除けと防雨の二つの目的に使うことができる洗濯物自動防雨装置を提供する。【解決手段】キャンバス開閉器自動装置は取付工事や工具は不要で蝶ナットだけで簡単に着脱でき、キャンバスロールの両側でキャンバスを開閉できる構造をもつ。降雨が始まると雨センサーからの検知信号が自動装置のモーター制御回路に送られ、キャンバスロールの片側に取り付けたキャンバス開閉器自動ハンドルが回転しキャンバスが自動的に引き出され、洗濯物の上部を覆い降雨による洗濯物の濡れを防止する。収納する場合や日除けとして使用する場合は、他の片側に取り付けたキャンバス開閉器手動ハンドルを使いキャンバスの開閉ができることを特徴とする洗濯物自動防雨装置。【選択図】図１
2019063461.tif 000002
【特許請求の範囲】
【請求項１】
自動防雨装置は、降雨による雨センサーからの検知信号を受けたモーター制御回路の制御信号によりキャンバス開閉器自動装置が働き、キャンバスロールからキャンバスが自動的に引き出され洗濯物の上部を覆い定位置で静止することで洗濯物の濡れを防止でき、使用後にキャンバスを収納する場合や日除けとして開閉する場合は、キャンバス開閉器手動ハンドルを使うことを特徴とする洗濯物自動防雨装置。
【発明の詳細な説明】
【技術分野】
【０００１】本発明は降雨が始まるとキャンバスロールからキャンバスが自動的に引き出され、乾燥中の洗濯物が雨によって濡れるのを防ぐ洗濯物自動防雨装置に関するものである。
【背景技術】
【０００２】ベランダ等に干した洗濯物が斜めから吹き込む雨に対して自動的に防雨する装置の技術（特許文献１及び特許文献２参照）はあるが、それらの技術はいずれもベランダの庇や軒下部分へ防雨装置の取り付け工事が必要である。また、降雨時だけ動作する技術（特許文献１参照）はある。
【先行技術文献】
【特許文献】
【０００３】
【特許文献１】実用新案登録第３００８７５１号公報
【特許文献２】特開２０１７−０３１６０２号公報
【発明の概要】
【発明が解決しようとする課題】
【０００４】バルコニーやベランダ等の軒先で洗濯物を干す場合、外出中に天候が急変するなどによって、乾いた洗濯物が降雨や吹き降りにより濡れてしまうことが問題であった。本発明は、こうした屋外干しの問題を解決し、日除けとしても利用できる構造をもつものとしてなされたものである。
【課題を解決するための手段】
【０００５】本発明の自動防雨装置は、取り付け工事や工具は不要で、自動防雨装置をキャンバスロール取付脚部へ簡単に取り付けることができ、キャンバスロールの両側にキャンバス開閉器を取り付けることにより、ひとつのキャンバスで防雨と日除けのふたつの目的を果たすことができる構造をもつ。２本あるキャンバスロール取付脚部の片方の脚部に取り付けたキャンバス開閉器自動装置が雨センサーからの検知信号によって作動し、キャンバスロールからキャンバスが自動的に引き出され防雨する。キャンバスを収納する場合や日除けとして開閉する場合は他の片方に取り付けたキャンバス開閉器手動ハンドルによってキャンバスを開閉できる構造をもつ。キャンバス開閉器自動装置の構造は、降雨が始まると屋外に設置した降雨を検知する雨センサーからの検知信号が自動装置のモーター制御回路に送られ、自動装置のモーターの回転によってモーターと連結されたボルトが回転し、このボルトと連結されたキャンバス開閉器自動ハンドルが回転することにより、キャンバスがキャンバスロールから引き出されて洗濯物の上部を覆い設定した位置で自動的に停止し、降雨による洗濯物の濡れを防止する。
【発明の効果】
【０００６】屋外で洗濯物を干す場合、天候の急変による降雨から洗濯物が濡れるのを防ぎ、洗濯物を干したまま安心して出かけることができる。また、本発明は一枚のキャンバスで降雨による洗濯物の濡れを防ぐとともに日除けとしても利用できるため低コストでふたつの目的を果たすことができ利用価値が高まる。
【図面の簡単な説明】
【０００７】
【図１】本発明のキャンバスを展開した状態図
【図２】本発明の自動装置の斜視図
【図３】本発明のモーター制御回路図
【発明を実施するための形態】
【０００８】以下、本発明の実施の形態について説明する。
（イ）降雨が始まると屋外に設置した雨センサー（１４）からの検知信号（図面省略）が      モーター制御回路（図３）に伝わり、本発明装置の駆動部を構成する断面が「コ」      の字型をした金属棒（１３）に取り付けたモーター（１２）が回転する。モーター      （１２）の回転軸に接合されたボルト（９）の回転により、このボルト（９）と接      合されたキャンバス開閉器自動ハンドル（５）が回転し、キャンバスロール（２）      からキャンバス（１）が引き出され洗濯物の上部を覆い、洗濯物が降雨によって濡      れるのを防止する。また、引き出されたキャンバス（１）はモーター制御回路（図      ３）のタイマーの働きにより設定した位置で自動的に停止する。
（ロ）降雨などによる自動装置電気系統の故障を防ぐため、器具防水カバー（６）で自動      装置部（６）全体を覆い防水対策が施されている。しかし、万全を期して強風や落      雷等から自動装置部（６）を安全に守るため、自動装置部（６）をＵ字型ボルトと      蝶ナットでキャンバスロール取付脚部（３）へ固定され、自動装置部（６）のボル      ト・ハンドル接合部（８）も蝶ナットで接合することにより、自動装置部（６）を      取付工事や工具を必要とせずに簡単に着脱できる構造をもつ。
【０００９】本発明を使用するときは、自動装置部（６）をキャンバスロール取付脚部（３）へ、また、自動装置部（６）のボルト・ハンドル接合部（８）をそれぞれ蝶ナットで固定する。次にモーター制御回路ボックス（１５）と配線接続した雨センサー（１４）は、降雨を直接感知できる屋外の適当な場所に固定する。モーター制御回路ボックス（１５）は自動装置部（６）との間をコネクターで電気回路接続を行い、防雨できる場所または屋内等に置いて電源を切り、使用する場合に電源を入れる。僅かでも雨が降り出すと雨センサー（１４）からの検知信号によってモーター制御回路（図３）が働き、キャンバスロール（２）からキャンバス（１）が引き出され洗濯物の上部を覆い、洗濯物が降雨によって濡れるのを防止する。また、引き出されたキャンバス（１）はモーター制御回路（図３）のタイマーの働きにより設定した位置で自動的に停止する。洗濯物を取り入れた後は、キャンバス開閉器手動ハンドル（７）を使いキャンバスロール（２）へ収納する。日除けを目的として使用する場合は、キャンバス開閉器手動ハンドル（７）を使い日差しの強弱に合わせてキャンバス（１）の開閉を調節する。
【符号の説明】
【００１０】  １  キャンバス
２  キャンバスロール
３  キャンバスロール取付脚部
４  キャンバス開閉器
５  キャンバス開閉器自動ハンドル
６  自動装置部・器具防水カバー
７  キャンバス開閉器手動ハンドル
８  ボルト・ハンドル接合部
９  ボルト
１０  ボルト保持金具
１１  モーター軸・ボルト固定部
１２  モーター
１３  金属棒（「コ」の字形断面）
１４  雨センサー
１５  モーター制御回路ボックス
【図１】
2019063461.tif 000003
【図２】
2019063461.tif 000004
【図３】
2019063461.tif 000005